(57)【要約】【課題】メンテナンスが容易でイオンの発生効率も良好で、オゾンが発生することを回避し、安全性を向上させること、遊技機の誤動作を防止すること。【解決手段】交流電力が供給され高電圧を発生する昇圧回路４と、この昇圧回路４から高電圧の交流電力が供給されこの交流電力を直流電力に変換する電圧変換回路５と、この電圧変換回路５から直流電圧が印加され抵抗の役割を果たす抵抗体６と、この抵抗体６を介して電圧が印加されるものでこの抵抗体６に接続されたカーボンファイバーにより作成されたカーボン線３８又は一端が前記抵抗体６に接続された導電線の他端に接続されたカーボンファイバーにより作成された線材を有したイオン発生部８とを備える。【選択図】図２
2006141995.tif 000002
【特許請求の範囲】
【請求項１】
交流電力が供給されて高電圧を発生する昇圧回路と、この昇圧回路から供給される高電圧の交流電力を直流電力に変換する電圧変換回路と、この電圧変換回路から直流電圧が印加される電極及び該電極間に設けられ該電極に直流電圧が印加されると抵抗の役割を果たす鉱石を有する抵抗体と、この抵抗体を介して電圧が印加されるとイオンを発生するイオン発生部とを備えたことを特徴とするイオン発生器。
【請求項２】
交流電力が供給されて高電圧を発生する昇圧回路と、この昇圧回路から供給される高電圧の交流電力を直流電力に変換する電圧変換回路と、この電圧変換回路から直流電圧が印加される抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とするイオン発生器。
【請求項３】
交流電力が供給されて高電圧を発生する昇圧回路と、この昇圧回路から供給される高電圧の交流電力を直流電力に変換する電圧変換回路と、この電圧変換回路から直流電圧が印加される電極及び該電極間に設けられ該電極に直流電圧が印加されると抵抗の役割を果たす鉱石を有する抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とするイオン発生器。
【請求項４】
前記昇圧回路、前記電圧変換回路及び前記抵抗体が設けられたプリント基板に、前記イオン発生部の線材が接続されたことを特徴とする請求項２又は請求項３に記載のイオン発生器。
【請求項５】
前記鉱石の対向する２面の各電極部に銅メッキを施し、前記昇圧回路、前記電圧変換回路及び前記抵抗体が設けられたプリント基板に前記銅メッキ部分を半田付けにより固定したことを特徴とする請求項１又は請求項３に記載のイオン発生器。
【請求項６】
前記昇圧回路、前記電圧変換回路及び前記抵抗体が設けられたプリント基板に形成された電極にその端部が接続されてコイル状に形成した導電性及び弾性を有する一対の保持体間に前記鉱石を配設して、このコイル状の中心を外方に膨らませるようにして前記鉱石を包むように前記保持体が保持することを特徴とする請求項１又は請求項３に記載のイオン発生器。
【請求項７】
交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を収納したガラス管と該ガラス管の両端部に設けられた電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とするイオン発生器。
【請求項８】
交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を原料としてＣＩＭ成形機を用いて成形された抵抗部と電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とするイオン発生器。
【請求項９】
交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を原料としてＣＩＭ成形機を用いて中空状に成形された抵抗部と電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とするイオン発生器。
【請求項１０】
パチンコ玉の通路、入賞口、障害釘及び表示部を有した遊技盤と、該遊技盤にイオンを供給し静電気を除電するマイナスイオン発生器とを備えたことを特徴とする遊技機。
【請求項１１】
パチンコ玉の通路、入賞口、障害釘及び表示部を有した遊技盤と、パチンコ玉の払出口を備えパチンコ玉を貯える貯留皿と、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記遊技盤に設けられ前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする遊技機。
【請求項１２】
前記線材は、前記遊技盤を構成する遊技面に配設されたことを特徴とする請求項１１に記載の遊技機。
【請求項１３】
前記線材は、遊技面の周縁部に沿った前記遊技盤に配設されたことを特徴とする請求項１１に記載の遊技機。
【請求項１４】
前記線材は、パチンコ玉の前記通路中に配設されたことを特徴とする請求項１１に記載の遊技機。
【請求項１５】
前記線材は、前記障害釘に接続されたことを特徴とする請求項１１に記載の遊技機。
【請求項１６】
前記遊技盤に風車を設け、この風車の回転支軸に前記線材を接続したことを特徴とする請求項１１に記載の遊技機。
【請求項１７】
前記線材は、前記表示部に配設されたことを特徴とする請求項１１に記載の遊技機。
【請求項１８】
前記線材は、パチンコ玉の前記払出口に配設されたことを特徴とする請求項１１に記載の遊技機。
【請求項１９】
前記貯留皿として賞品球としてのパチンコ玉を払い出す上皿払出口を有する上皿とこの上皿上のパチンコ玉を払い出す下皿払出口を有する下皿とを備え、少なくとも前記上皿払出口と下皿払出口のいずれかに前記線材を配設したことを特徴とする請求項１１に記載の遊技機。
【請求項２０】
パチンコ玉の通路、入賞口、障害釘及び表示部を有した遊技盤と、この遊技盤の前方に設けられる扉と、パチンコ玉の払出口を備えパチンコ玉を貯える貯留皿と、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記扉裏面に配設され前記抵抗体を介して電圧が印加されてイオンを発生するイオン発生部とを備えたことを特徴とする遊技機。
【請求項２１】
パチンコ玉の通路、入賞口、障害釘及び表示部を有した遊技盤と、該遊技盤の背面に形成された前記パチンコ玉の通路にイオンを供給し静電気を除電するイオン発生器とを備えたことを特徴とする遊技機。
【請求項２２】
パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、この裏側通路にイオンを供給して静電気を除電するイオン発生器とを備えたことを特徴とする遊技機。
【請求項２３】
パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記上皿と前記裏側通路との少なくとも何れか一方にイオンを供給して静電気を除電するイオン発生器とを備えたことを特徴とする遊技機。
【請求項２４】
パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、該ケース内にイオンを供給し静電気を除電するイオン発生器とを備えたことを特徴とする遊技機。
【請求項２５】
パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記ケース内に配設され前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする遊技機。
【請求項２６】
パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、交流電力が供給されて高電圧を発生する昇圧回路と、この昇圧回路から供給される高電圧の交流電力を直流電力に変換する電圧変換回路と、この電圧変換回路から直流電圧が印加されされる抵抗体と、前記ケースを覆うように配設され前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする遊技機。
【請求項２７】
周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記箱状ケース内にイオンを供給するイオン発生器を備えたことを特徴とする遊技機。
【請求項２８】
周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記箱状ケースの内面にイオン発生器のカーボンファイバーにより作成された線材又は一端が前記抵抗体に接続された導電線の他端に接続されたカーボンファイバーにより作成された線材を接続したことを特徴とする遊技機。
【請求項２９】
周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記扉の内側面にイオン発生器のカーボンファイバーにより作成された線材又は一端が前記抵抗体に接続された導電線の他端に接続されたカーボンファイバーにより作成された線材を接続したことを特徴とする遊技機。
【請求項３０】
周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記扉の前面に設けられたメダル投入口形成部材にイオン発生器のカーボンファイバーにより作成された線材又は一端が前記抵抗体に接続された導電線の他端に接続されたカーボンファイバーにより作成された線材を接続したことを特徴とする遊技機。
【請求項３１】
周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓と、前記箱状ケース内に収納され前記ドラムユニットの運転などを制御するプリント基板を備えた遊技機において、交流電力が供給されて高電圧を発生する昇圧回路と、この昇圧回路から供給される交流電力を直流電力に変換する電圧変換回路と、この電圧変換回路から直流電圧が印加される抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする遊技機。
【発明の詳細な説明】
【技術分野】
【０００１】
この発明は、イオン発生器、及びイオン発生器を備えた遊技機に関するものである。
【背景技術】
【０００２】
従来、高電圧発生器にて昇圧された直流電圧をイオン変換器に供給し、このイオン変換器からイオン電極を介してマイナスイオンを空気中に放出するマイナスイオン発生器が提案されている。
【０００３】
ここで、マイナスイオン発生器については、針電極（電子針）とアース電極間に高電圧を印加し、針電極の尖端部にてコロナ放電を発生させ、オゾン及びマイナスイオンを発生させる技術は知られている（特許文献１参照）。
【０００４】
一方、パチンコ玉の通路、入賞口、障害釘及び表示部を有した遊技盤と、該遊技盤の下方に配置され複数のパチンコ玉を貯える貯留皿、発射ハンドルなどを備えたパチンコ機である遊技機では、遊技者による発射ハンドルの操作によりパチンコ玉が発射され、遊技盤を落下し入賞口に入った場合には、賞品玉が放出される技術も知られている（特許文献２参照）
【特許文献１】特開２００４−１８３４８号公報
【特許文献２】特開２００４−１７３９８８号公報
【発明の開示】
【発明が解決しようとする課題】
【０００５】
しかしながら、従来のマイナスイオン発生器では、上述したようにマイナスイオン発生部が針電極とアース電極とから構成されているため、針電極が酸化し錆びるので、針電極の錆を取り除く必要があり、定期的なメンテナンスが必要になるという問題が発生する。また、マイナスイオンの発生に伴い必要としないオゾンも同時に発生する。
【０００６】
また、遊技機の運転に伴い、遊技機のパチンコ玉の通路、障害釘及び表示部を有した遊技盤或いは、遊技機の内部、発射ハンドル、更にパチンコ玉などに静電気が発生し、この静電気により遊技機が誤動作する虞があった。
【０００７】
そこで本発明は、上記したような問題を解消するためになされたもので、メンテナンスが容易でイオンの発生効率も良好で、オゾンが発生することを回避し、安全性を向上させることを目的とする。
【０００８】
また、遊技機に設けられたイオン発生器から発生したイオンにより、遊技盤、プリント基板収納ケース内部などから静電気を除電し、遊技機の誤動作を防止することを目的とする。
【課題を解決するための手段】
【０００９】
このために第１のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加される電極及び該電極間に設けられ該電極に直流電圧が印加されると抵抗の役割を果たす鉱石を有する抵抗体と、この抵抗体を介して電圧が印加されるとイオンを発生するイオン発生部とを備えたことを特徴とする。
【００１０】
第２のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加される抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００１１】
第３のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加される電極及び該電極間に設けられ該電極に直流電圧が印加されると抵抗の役割を果たす鉱石を有する抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００１２】
第４のイオン発生器に係る発明は、第２又は第３の発明において、前記昇圧回路、前記電圧変換回路及び前記抵抗体が設けられたプリント基板に、前記イオン発生部の線材が接続されたことを特徴とする。
【００１３】
第５のイオン発生器に係る発明は、第１又は第３の発明において、前記鉱石の対向する２面の各電極部に銅メッキを施し、前記昇圧回路、前記電圧変換回路及び前記抵抗体が設けられたプリント基板に前記銅メッキ部分を半田付けにより固定したことを特徴とする。
【００１４】
第６のイオン発生器に係る発明は、第１又は第３の発明において、前記昇圧回路、前記電圧変換回路及び前記抵抗体が設けられたプリント基板に形成された電極にその端部が接続されてコイル状に形成した導電性及び弾性を有する一対の保持体間に前記鉱石を配設して、このコイル状の中心を外方に膨らませるようにして前記鉱石を包むように前記保持体が保持することを特徴とする。
【００１５】
第７のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を収納したガラス管と該ガラス管の両端部に設けられた電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００１６】
第８のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を原料としてＣＩＭ成形機を用いて成形された抵抗部と電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００１７】
第９のイオン発生器に係る発明は、交流電力が供給されて高電圧を発生する昇圧回路と、この昇圧回路から供給される高電圧の交流電力を直流電力に変換する電圧変換回路と、この電圧変換回路から直流電圧が印加されると抵抗の役割を果たす鉱石の粉末を原料としてＣＩＭ成形機を用いて中空状に成形された抵抗部と電極とを備えた抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００１８】
第１０の遊技機に係る発明は、パチンコ玉の通路、入賞口、障害釘及び表示部を有した遊技盤と、該遊技盤にイオンを供給し静電気を除電するマイナスイオン発生器とを備えたことを特徴とする。
【００１９】
第１１の遊技機に係る発明は、パチンコ玉の通路、入賞口、障害釘及び表示部を有した遊技盤と、パチンコ玉の払出口を備えパチンコ玉を貯える貯留皿と、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記遊技盤に設けられ前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００２０】
第１２の遊技機に係る発明は、第１１の発明において、前記線材は、前記遊技盤を構成する遊技面に配設されたことを特徴とする。
【００２１】
第１３の遊技機に係る発明は、第１１の発明において、前記線材は、遊技面の周縁部に沿った前記遊技盤に配設されたことを特徴とする。
【００２２】
第１４の遊技機に係る発明は、第１１の発明において、前記線材は、パチンコ玉の前記通路中に配設されたことを特徴とする。
【００２３】
第１５の遊技機に係る発明は、第１１の発明において、前記線材は、前記障害釘に接続されたことを特徴とする。
【００２４】
第１６の遊技機に係る発明は、第１１の発明において、前記遊技盤に風車を設け、この風車の回転支軸に前記線材を接続したことを特徴とする。
【００２５】
第１７の遊技機に係る発明は、第１１の発明において、前記線材は、前記表示部に配設されたことを特徴とする。
【００２６】
第１８の遊技機に係る発明は、第１１の発明において、前記線材は、パチンコ玉の前記払出口に配設されたことを特徴とする。
【００２７】
第１９の遊技機に係る発明は、第１１の発明において、前記貯留皿として賞品球としてのパチンコ玉を払い出す上皿払出口を有する上皿とこの上皿上のパチンコ玉を払い出す下皿払出口を有する下皿とを備え、少なくとも前記上皿払出口と下皿払出口のいずれかに前記線材を配設したことを特徴とする。
【００２８】
第２０の遊技機に係る発明は、パチンコ玉の通路、入賞口、障害釘及び表示部を有した遊技盤と、この遊技盤の前方に設けられる扉と、パチンコ玉の払出口を備えパチンコ玉を貯える貯留皿と、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記扉裏面に配設され前記抵抗体を介して電圧が印加されてイオンを発生するイオン発生部とを備えたことを特徴とする。
【００２９】
第２１の遊技機に係る発明は、パチンコ玉の通路、入賞口、障害釘及び表示部を有した遊技盤と、該遊技盤の背面に形成された前記パチンコ玉の通路にイオンを供給し静電気を除電するイオン発生器とを備えたことを特徴とする。
【００３０】
第２２の遊技機に係る発明は、パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、この裏側通路にイオンを供給して静電気を除電するイオン発生器とを備えたことを特徴とする。
【００３１】
第２３の遊技機に係る発明は、パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記上皿と前記裏側通路との少なくとも何れか一方にイオンを供給して静電気を除電するイオン発生器とを備えたことを特徴とする。
【００３２】
第２４の遊技機に係る発明は、パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、該ケース内にイオンを供給し静電気を除電するイオン発生器とを備えたことを特徴とする。
【００３３】
第２５の遊技機に係る発明は、パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、交流電力が供給されて高電圧を発生する昇圧回路と、この昇圧回路から供給される高電圧の交流電力を直流電力に変換する電圧変換回路と、この電圧変換回路から直流電圧が印加される抵抗体と、前記ケース内に配設され前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００３４】
第２６の遊技機に係る発明は、パチンコ玉の通路、入賞口、障害釘及び表示部を有した遊技盤と、該遊技盤の背面の上部に配置され複数のパチンコ玉を貯える供給皿と、該供給皿から供給されたパチンコ玉を下方へ案内する裏側通路と、前記表示部等の表示を制御する制御装置を備えたプリント基板を収めたケースと、交流電力が供給されて高電圧を発生する昇圧回路と、この昇圧回路から供給される高電圧の交流電力を直流電力に変換する電圧変換回路と、この電圧変換回路から直流電圧が印加されされる抵抗体と、前記ケースを覆うように配設され前記抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【００３５】
第２７の遊技機に係る発明は、周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記箱状ケース内にイオンを供給するイオン発生器を備えたことを特徴とする。
【００３６】
第２８の遊技機に係る発明は、周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記箱状ケースの内面にイオン発生器のカーボンファイバーにより作成された線材又は一端が前記抵抗体に接続された導電線の他端に接続されたカーボンファイバーにより作成された線材を接続したことを特徴とする。
【００３７】
第２９の遊技機に係る発明は、周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記扉の内側面にイオン発生器のカーボンファイバーにより作成された線材又は一端が前記抵抗体に接続された導電線の他端に接続されたカーボンファイバーにより作成された線材を接続したことを特徴とする。
【００３８】
第３０の遊技機に係る発明は、周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓とを備えた遊技機において、前記扉の前面に設けられたメダル投入口形成部材にイオン発生器のカーボンファイバーにより作成された線材又は一端が前記抵抗体に接続された導電線の他端に接続されたカーボンファイバーにより作成された線材を接続したことを特徴とする。
【００３９】
第３１の遊技機に係る発明は、周面に複数の図柄を表示した複数のドラムを縦に並設したドラムユニットと、該ドラムユニットの下方に配設されメダルを収納するホッパーと、前記ドラムニット及びホッパーを内部に収納する箱状ケースと、この箱状ケースの前面開口を開閉自在に閉塞する扉と、前記ドラムユニットに対向して前記扉に形成された表示窓と、前記箱状ケース内に収納され前記ドラムユニットの運転などを制御するプリント基板を備えた遊技機において、交流電力が供給されて高電圧を発生する昇圧回路と、この昇圧回路から供給される交流電力を直流電力に変換する電圧変換回路と、この電圧変換回路から直流電圧が印加される抵抗体と、この抵抗体を介して電圧が印加されるものでこの抵抗体に接続されたカーボンファイバーにより作成された線材又は一端が前記抵抗体に接続された導電線の他端に接続されたカーボンファイバーにより作成された線材を有したイオン発生部とを備えたことを特徴とする。
【発明の効果】
【００４０】
以上のように本発明によれば、メンテナンスが容易でイオンの発生効率も良好で、オゾンが発生することを回避し、安全性を向上させることができる。また、遊技機に設けられたイオン発生器から発生したイオンにより、遊技盤、プリント基板収納ケース内部などから静電気を除電し、遊技機の誤動作を防止することができる。
【発明を実施するための最良の形態】
【００４１】
以下、この発明の実施形態を図に基づき説明する。先ず、イオン発生器としてのマイナスイオン発生器のブロック回路図である図１において、１はプリント基板１００上に設けられたマイナスイオン発生器であり、図２において詳述するが、電源電圧供給回路２、発振回路３、昇圧回路４、電圧変換回路５、抵抗体６、イオン切替部７、イオン発生部８を備えている。前記発振回路３は電源電圧供給回路２から供給される電力が直流波形の場合に交流に変換させる回路であり、電源電圧供給回路２から供給される電力が交流波形の場合には発振回路３を経ずに電源電圧供給回路２から昇圧回路４に電力が供給される。
【００４２】
なお、前記昇圧回路４と電圧変換回路５との間に電荷状況検出センサ（図示せず）を含む切替え回路を設け、この電荷状況検出センサにより除電したい対象物の電荷状況を検出し、例えばプラス帯電していることを検出するとイオン発生部８がマイナスイオンを発生するようにすると共にマイナス帯電していることを検出すると同じくプラスイオンを発生するように構成してもよいし、またスイッチの切替えによりいずれかのイオンを発生させるような構成でもよいし、更には当初よりいずれかのイオンのみしか発生できないような構成にしてもよいが、本実施形態ではマイナスイオンを発生するものとして説明する。なお、前記イオン切替部７は、イオン発生部８が例えばマイナスイオンを供給する箇所を複数有しているときの供給先を切替え選択するために設けられるものであり、図２においては図示していない。
【００４３】
以下、電源電圧供給回路２から供給される電力が直流の場合について、図２のマイナスイオン発生器の回路図に基づき詳細に説明する。１０は図示しない電源スイッチに電源線１０Ａ及び１０Ｂを介して接続された３端子レギュレータであり、電源スイッチのオン（ＯＮ）により電源電圧供給回路２のこの３端子レギュレータ１０に電圧が供給され、予め設定されている電圧が昇圧回路４に供給される。
【００４４】
また、発振回路３は、複数のＮＰＮ型のトランジスタ１１、１２、コンデンサ１３、１４、抵抗１５、１６、１７、１８、及びダイオード２１、２２から成る回路にて構成されている。各トランジスタ１１、１２はともにＮＰＮ型であるが、それぞれの性能が僅かに違うことから、予め設定されている電圧が発振回路３に供給されると、コンデンサ１３又は１４が充電されて、コンデンサ１４と抵抗１６とにより又はコンデンサ１３と抵抗１５とにより、トランジスタ１１又は１２のベース電位が上昇しトランジスタ１１又は１２のどちらかが先にオン（ＯＮ）する。例えば、トランジスタ１１が先にオンした場合には、トランジスタ１１のコレクタ電流が多く流れてコレクタ電圧はそれだけ減少し、その減少分がコンデンサ１３を通してトランジスタ１２のベースにかかる。すると、トランジスタ１１のベース電圧が減少するので、トランジスタ１１のコレクタ電流は更に増加する。これによりコンデンサ１３は左が正の極性で供給電圧付近まで上昇し、トランジスタ１２のベース電圧は反対に負の大きな電位になる。しかし、コンデンサ１３に蓄えられた電荷は、抵抗１５を通して放電するために、トランジスタ１２のベース電圧は徐々に上昇し、ついに正の電位になる。その後、トランジスタ１２のコレクタ電流が流れ始め、コンデンサ１４が充電され始めると、その瞬間トランジスタ１２がオンし、トランジスタ１１はオフ（ＯＦＦ）する。このような一連の動作が、各トランジスタ１１、１２に交互に訪れ、結果として各トランジスタ１１、１２は交互にオン、オフを繰り返す。
【００４５】
前記昇圧回路４は、交流電力が供給されて数千ボルトの高電圧を生成するもので、ＮＰＮ型のトランジスタ２３、トランス２４、及びコンデンサ２５、２６などから構成され、トランジスタ２２のオンによりトランジスタ２３のベースへ電圧が供給され、トランジスタ２３がオン状態になる。トランジスタ２３のオンタイミングは前記発振回路３にて設定され、トランジスタ２３のオンタイミングにより、トランス２４がオンし、トランス２４の巻線比に応じ増幅された交流電圧が電圧変換回路５へ出力される。
【００４６】
前記電圧変換回路５は、複数のダイオード２７、２８、２９、３０、コンデンサ３１、３２、３３、３４にて構成され、倍電圧整流回路により交流電圧を直流電圧へ変換する。このとき、ダイオード２７を経由してコンデンサ３１が充電され、ダイオード２８を経由してコンデンサ３３が充電され、ダイオード２９を経由してコンデンサ３２が充電され、ダイオード３０を経由してコンデンサ３４が充電され、各ダイオードの向きにより交流電圧は直流電圧に変換される。
【００４７】
前記抵抗体６は、電極部３６、３７と、立方体或いは直方体であって前記電圧変換回路５から電極部３６、３７間に直流電圧（高電圧）が印加されると抵抗の役割を果たす鉱石３５とを備えている。この鉱石３５の対向した２面の各電極部３６、３７にはプリント基板１００への実装性を良くするために銅メッキが施され、この各電極部３６、３７とプリント基板１００の配線パターン部とが半田付けにより半田を介して固定される。そして、前記電圧変換回路５から直流電圧が印加された電極部３６とは反対側の電極部３７から電圧がイオン発生部８に印加され、イオン発生部８の先端からマイナスイオンを発生する。
【００４８】
次に、前記抵抗体６における鉱石３５のプリント基板１００へのその他の取り付け構造について詳述する。即ち、図５及び図６に示すように、プリント基板１００の端部には一方の対向した２辺が平行で、他の対向した２辺が円弧状に形成された開口１０１が形成され、またこの開口１０１の外周縁部には該開口１０１を挟んで例えば導電性を有する金属製の線材をコイル状に形成した弾性を有する一対の保持体であるバネ１０２、１０３が間隔を存して取り付けられている。そして、鉱石３５は例えば球状或いは断面楕円形状のほぼ球状であり、且つ寸法が前記開口１０１より大きい前記鉱石、即ち前記電圧変換回路５から電極に直流電圧（高電圧）が印加されると抵抗の役割を果たす鉱石が使用され。そして、鉱石３５は開口１０１の周縁に支持されプリント基板１００上に載せられると共に、その下端部がプリント基板１００に形成された電極に半田付けされた導電性のバネ１０２、１０３により保持される。このような抵抗体６の構造とすることにより、鉱石３５をバネ１０２、１０３間にその弾性を利用し、コイル状の中心を外方に膨らませるようにして包むように挟んで容易に且つ確実に保持することができる。
【００４９】
また、図７及び図８は抵抗体６の他の構造を示し、高電圧が印加されると抵抗の役割を果たす鉱石の粉末１０５が透明又は半透明な無底の円筒形状のガラス管１０６内に収納され、このガラス管１０６の両端開口はキャップ形状の電極１０７、１０８により閉塞され、この鉱石の粉末１０５は密封されている。そして、下端がプリント基板１００の配線パターン部に半田付けされた二対のホルダー１０９に抵抗体６の各電極１０７、１０８が保持され、この各電極１０７、１０８とプリント基板１００の配線パターン部とが導電性を有する二対のホルダー１０９を介して接続される。このように、抵抗体６を構成することにより、前記鉱石は粉末状にされてガラス管１０６内に収納され、抵抗体６をコンパクトにすることが可能になり、また外から粉末１０５の状態を容易に確認することも可能になる。
【００５０】
更に、ＣＩＭ（Ｃｅｒａｍｉｃ  Ｉｎｊｅｃｔｉｏｎ  Ｍｏｌｄｉｎｇ）成形機やＭＩＭ（Ｍｅｔａｌ  Ｉｎｊｅｃｔｉｏｎ  Ｍｏｌｄｉｎｇ）成形機を用いて、前記鉱石の粉末を原料として円柱状、円錐状、角柱状、角錐状に成形して抵抗体６を形成してもよいし、中空円筒状、中空円錐状、中空角柱状、中空角錐状に成形して抵抗体６を形成してもよい。この場合、プリント基板１００に形成された電極に接続されたホルダーにより、前記抵抗体６を保持する。
【００５１】
前記イオン発生部８は前記抵抗体を介して電圧が印加されるもので、カーボンファイバーにより形成された線材（以下、「カーボン線」という）３８を備え、この所望の長さのカーボン線３８が前記抵抗体６の一方の電極に接続される。詳述すると、例えばカーボン線３８の一端部には銅メッキが施され、この銅メッキが施された端部をプリント基板１００に形成された一方の電極に半田付けすることにより接続する。また、カーボン線３８の一端に圧着端子を接続し、この圧着端子をプリント基板１００に形成された一方の電極に固定してもよい。このように、カーボン線３８端部に予め銅メッキを施したり、圧着端子を設けておくことにより、カーボン線３８のプリント基板１００への接続及び固定の作業を容易に行うことができる。
【００５２】
なお、前記イオン発生部８として、前記抵抗体６に一端が接続された導電線（図示せず）と、この導電線の他端に圧着端子を介して接続されたカーボンファイバーにより作成された線材で構成してもよい。
【００５３】
そして、抵抗体６を介して電圧がカーボン線３８に印加し、カーボン線の先端部分からマイナスイオンを発生し、周囲の空中及び周辺をマイナスイオンにより帯電させる。
【００５４】
このように、イオン発生部８では、針電極と比べ、カーボン線３８の先端部分ではカーボンファイバーの本数だけ電極があることになるため、効率よく空気中にマイナスイオンを放出することができ、更にカーボン線３８に従来の針電極のような錆が発生することを回避でき、錆取りの作業或いは針電極の交換作業及びこれらの作業を行うための種々の作業を行う必要がなくなり、メンテナンスを大幅に簡略化することができる。
【００５５】
図９において、１１３は前記マイナスイオン発生器１が搭載された前記プリント基板１００を収納する合成樹脂製の有底箱状のケースであり、側壁１１４、上壁１１５及び側壁の下縁から外方に延びた一対の取付片１１６、１１７を備えている。そして、取付片１１６、１１７のほぼ中央には、ビス止め用の孔１１８、１１９が形成され、ビスが孔１１８、１１９を介してケース１１３（マイナスイオン発生器１）を適所に取り付けることができる。また、側壁１１４の下縁には、電源線１０Ａ、１０Ｂをケース１１３内から外方へ延出するための電源線用切欠き１２０が形成されると共に、前記カーボン線３８を外方へ延出するためのカーボン線用切欠き１２１が形成されている。このように構成され、電源線１０Ａ、１０Ｂ及びカーボン線３８がケース１１３から外方に延び、ケース１１３とこのケース１１３内に収納された前記プリント基板１００（前記マイナスイオン発生器１が搭載された）とから構成されるイオン発生ユニット１Ａを、ビスにより取付片１１６、１１７を使用して適所に取り付け、更に延出したカーボン線３８を取り付け箇所に必要に応じ例えばクリップなどの取付具を使用して取付けることにより、マイナスイオン発生器１を容易に取り付け、静電気を除電することが可能になる。
【００５６】
以上のように構成された前記マイナスイオン発生器１をパチンコ機やスロット機などの各種遊技機、パチンコ球貸出機、パチンコ玉研磨機、島制御機、両替機、空気調和機や空気清浄機や電気こたつなどの各種電気製品などに適用することができるが、以下遊技機に搭載する例について説明する。
【００５７】
図１０及び図１１において、４０はマイナスイオン発生器１を静電気の除電のために取り付けた遊技機であるパチンコ機であり、４１はパチンコ機本体の全面上部に設けられ例えばベニア板により形成された遊技盤、４２は回動自在に設けられ遊技盤４１の前面を覆う扉であり、この扉４２は矩形状の窓枠４３と透明なガラス４４とから構成されている。４５は遊技盤４１の中央にほぼ円形に窪ませて形成された遊技面であり、この遊技面４５にはその下端から円周沿い左上方に至る外側レール４６と内側レール４７とが間隔を存して固定され、外側レール４６と内側レール４７との間にはパチンコ球の発射通路４８が形成されている。
【００５８】
また、遊技面４５の上部には複数本（便宜上、６本図示）の金属製（導電性有する）の障害釘５０が打たれている。５１は遊技面４５のほぼ中央に突出して設けられた図柄表示装置であり、この図柄表示装置５１の中央には例えば液晶、ドラム或いは役物の３パターンがある主表示部５２が設けられ、側部には前記役物、例えば人形、飛行機或いは木の一部を表示する副表示部５３が設けられている。
【００５９】
また、遊技面４５の適所、例えば左上部には、風車５４が回転支軸である金属製（導電性有する）の釘５５により回転自在に取り付けられている。また、遊技面４５の適所、本実施の形態では図柄表示装置５１の下方にはそれぞれが開閉動作部５６により開閉される入賞口５７を備えた複数の入賞装置５８が水平方向に等間隔に設けられている。遊技面４５の下部には例えば液晶の状態表示部６０が設けられ、この状態表示部６０に遊技状態や時刻が表示される。更に、状態表示部６０の下方には、入賞せずに遊技面４５を落下したパチンコ球の排出口６１が内側レール４７の最下部に位置して形成されている。
【００６０】
なお、６２は遊技盤４１の下に設けられた貯留皿である上皿、６３は上皿６２の下方に設けられた貯留皿である下皿、６４は遊技者により操作されるハンドルで、６５は上皿６２に賞品球としてのパチンコ玉を払い出す上皿払出口、６６は上皿６２上のパチンコ玉を図示しないレバーの操作により下皿６３に払い出す下皿払出口である。
【００６１】
そして、前記上皿６２内に存在するパチンコ玉は、遊技者によるハンドル６４の操作により発射モータにより駆動される打球槌（図示せず）により弾かれ、発射通路４８内に連続して発射される。この発射通路４８を通過したパチンコ玉は遊技面４５を落下し、その途中で一部のパチンコ玉は障害釘５０に当り方向が変化しつつ落下する。また、一部のパチンコ玉は入賞口５７に落下し、落下した個数に応じて上部払出口６５から予め設定された個数の賞品球が上皿６２に払い出される。また、遊技面４５の下端まで落下したパチンコ玉は排出口６１に入る。
【００６２】
更に、図１２に示したように、遊技盤４１上部の遊技面４５から表面にカーボン線３８が突出するように配設される。前記カーボン線３８は可撓性を有し、障害釘５０の下方に配設されている。このため、カーボン線３８で発生したマイナスイオンは該カーボン線３８から周囲の空間に供給され、周囲に設けられていて静電気が帯電している障害釘５０や、複数の障害釘５０の間から落下する途中のパチンコ玉や、或いは遊技面４５前方の空間から静電気を除電することができる。また、カーボン線３８は可撓性を有し、障害釘５０の下方位置に設けられているため、複数の障害釘５０の間を介して上方から落下するパチンコ玉の通過に影響を与えることを回避することができる。
【００６３】
以下、遊技盤４１の他の実施形態を図１３に基づき説明するが、図１０及び図１１に示した遊技盤４１と同様の構成部分には同符号を付し、その詳細な説明は省略する。カーボン線３８は発射通路４８のパチンコ玉射出部の近傍、即ち外側レール４６と内側レール４７とで形成される発射通路４８の上端部近傍に固定されている。カーボン線３８は発射通路４８を通るパチンコ玉の通過の障害にならないように発射通路４８内の遊技面４５に形成された溝内に納められ、遊技面４５の表面よりカーボン線３８が突出しないように配設されている。従って、カーボン線３８で発生したマイナスイオンは該カーボン線３８から周囲の空間に供給され、この空間内の静電気を除電すると共に発射通路４８を通るパチンコ玉から静電気を除電することができる。
【００６４】
以下、遊技盤４１の他の実施形態を図１４に基づき説明するが、図１０及び図１１に示した遊技盤４１と同様の構成部分には同符号を付し、その詳細な説明は省略する。カーボン線３８の端部は遊技面４５の周縁を形成する側面４５Ａの上端部から遊技面４５に向けて垂下している。このため、カーボン線３８で発生したマイナスイオンは該カーボン線３８から周囲の空間に供給され、空間から静電気を除電すると共に、遊技面４５を含む遊技盤４１から静電気を除電すると共に当接したパチンコ玉からも確実に除電することができる。なお、カーボン線３８は遊技面４５を形成する凹部内への突出長も短く、パチンコ玉が当接することも少なく、また可撓性を有しているため、仮に当接してもパチンコ玉の障害（進行障害）になることを回避できる。
【００６５】
以下、遊技盤４１の他の実施形態を図１５に基づき説明するが、図１０及び図１１に示した遊技盤４１と同様の構成部分には同符号を付し、その詳細な説明は省略する。カーボン線３８の端部は遊技盤４１に打たれてこの遊技盤４１中にある複数の障害釘５０のうちの一本の障害釘５０Ａの先端部に接続されている。このため、カーボン線３８で発生したマイナスイオンは該カーボン線３８から障害釘５０Ａへ供給され、この障害釘５０Ａに帯電した静電気を除電すると共に障害釘５０Ａの周囲のその他の障害釘５０及び障害釘５０Ａの周囲の空間からも静電気を除電することができ、また障害釘５０及び５０Ａに当接したパチンコ玉からも静電気を除電することも可能になる。なお、カーボン線３８を分岐させ、総ての障害釘５０に接続させることにより、各障害釘５０から確実に静電気を除電することができる。
【００６６】
以下、遊技盤４１の他の実施形態を図１６に基づき説明するが、図１０及び図１１に示した遊技盤４１と同様の構成部分には同符号を付し、その詳細な説明は省略する。カーボン線３８の端部は遊技盤４１に打たれてこの遊技盤４１中にある風車５４を回転自在に支持する釘５５の先端部に接続されている。このため、カーボン線３８で発生したマイナスイオンは該カーボン線３８から釘５５へ供給され、この釘５５及び風車５４から静電気を除電すると共に、これらの周囲の空間からも静電気を除電することができる。また、この風車５４に当接したパチンコ玉からも静電気を除電することも可能になる。
【００６７】
以下、遊技盤４１の他の実施形態を図１７に基づき説明するが、図１０及び図１１に示した遊技盤４１と同様の構成部分には同符号を付し、その詳細な説明は省略する。カーボン線３８は遊技盤４１の図柄表示装置５１に設けられた副表示部５３に、例えば役物である人形の髪の毛、飛行機の飛行機雲または木の枝として設けられている。即ち、副表示部５３を形成する側面に凹部内に突出するようにカーボン線３８を配設するようにして、このカーボン線３８を役物の一部として設ける。このため、カーボン線３８で発生したマイナスイオンは該カーボン線３８から周囲に供給され、遊技面４５及びパチンコ玉から静電気を除電することが可能になる。
【００６８】
以下、遊技盤４１の他の実施形態を図１８に基づき説明するが、図１０及び図１１に示した遊技盤４１と同様の構成部分には同符号を付し、その詳細な説明は省略する。カーボン線３８端部を遊技盤４１の図柄表示装置５１の上面５１Ａ上端から遊技面４５を形成する凹部内に上方へ向けて突設させている。このため、カーボン線３８で発生したマイナスイオンは該カーボン線３８から周囲に供給され、遊技面４５及びパチンコ玉から静電気を除電することができ、特にカーボン線３８に当接したパチンコ玉から確実に静電気を除電することができる。なお、カーボン線３８は可撓性を有しているため、当接したパチンコ玉の障害になることを回避できる。
【００６９】
以下、遊技盤４１の他の実施形態を図１９に基づき説明するが、図１０及び図１１に示した遊技盤４１と同様の構成部分には同符号を付し、その詳細な説明は省略する。カーボン線３８端部を遊技盤４１の図柄表示装置５１の主表示部５２を形成する上面５２Ａのほぼ中央から主表示部５２を形成する凹部内に突設するように、下方へ垂下して設ける。このため、カーボン線３８で発生したマイナスイオンは該カーボン線３８から周囲に供給され、遊技面４５及びパチンコ玉から静電気を除電することができる。
【００７０】
以下、遊技盤４１の他の実施形態を図２０に基づき説明するが、図１０及び図１１に示した遊技盤４１と同様の構成部分には同符号を付し、その詳細な説明は省略する。カーボン線３８を遊技盤４１における遊技面４５より外側の前面４１Ａの内側周縁部に沿って、即ち遊技面４５のほぼ円形の周縁より僅かに外側に周縁に沿って表面上に配設するか遊技盤４１内部に埋設する。このため、カーボン線３８で発生したマイナスイオンは該カーボン線３８から遊技盤４１、特に遊技面４５前方の空間のほぼ全体に均一に供給することができ、またマイナスイオンの供給量も増加させることができる。そして、供給されたマイナスイオンにより遊技面４５、遊技面４５前方の空間及びパチンコ玉から静電気を除電することができる。なお、カーボン線３８は遊技面４５の周縁の外側に限らず、前面４１Ａのいずれかの場所に設けることにより、同様に静電気を除電することができる。
【００７１】
以下、遊技盤４１の他の実施形態を図２１に基づき説明するが、図１０及び図１１に示した遊技盤４１と同様の構成部分には同符号を付し、その詳細な説明は省略する。カーボン線３８を遊技機４１に設けられた扉４２の窓枠４３の周縁の４辺に沿って扉４２裏面上に配設するか扉４２の内部に埋設する。このため、カーボン線３８で発生したマイナスイオンは該カーボン線３８から扉４２と遊技盤４１との間に形成された空間、即ち遊技面４５前方の空間にほぼ均一に供給され、マイナスイオンにより遊技面４５はもちろん、遊技面４５前方の空間、この空間に存在する障害釘５０又は風車５４などから静電気を除電することができる。
【００７２】
以下、遊技盤４１の他の実施形態を図２２に基づき説明するが、図１０及び図１１に示した遊技盤４１と同様の構成部分には同符号を付し、その詳細な説明は省略する。カーボン線３８は遊技盤側カーボン線３８Ａとこれと繋がっている扉側カーボン線３８Ｂとから構成されている。遊技盤側カーボン線３８Ａは、図示したように、前面４１Ａの内側周縁部、即ち遊技面４５のほぼ円形の周縁より僅かに外側に周縁に沿って、また前面４１Ａを形成する枠体４１Ｂの上部及び左右両側部に沿って前面４１Ａか枠体４１Ｂの表面上に配設するか内部に埋設する。また、カーボン線３８は遊技盤４１と扉４２とに渡され配線されているため、カーボン線３８で発生したマイナスイオンは遊技盤側カーボン線３８Ａと扉側カーボン線３８Ｂとの双方から扉４２と遊技盤４１との間に形成された空間、即ち遊技面４５前方の空間にほぼ均一に供給され、またカーボン線３８の配線寸法は大幅に増加し、マイナスイオンの供給量を増加させることもでき、マイナスイオンにより遊技面４５はもちろん、遊技面４５前方の空間、この空間に存在する障害釘５０又は風車５４などから速やかに静電気を除電することができる。
【００７３】
また、ハンドル６４にカーボン線３８を接続することにより、カーボン線３８を介してハンドル６４及びその周辺か静電気を除電することができる、この結果、帯電している遊技者が遊技するためにハンドル６４に触れると、遊技者から静電気を除電することができる。
【００７４】
以下、遊技盤４１の他の実施形態を図２３に基づき説明するが、図１０及び図１１に示した遊技盤４１と同様の構成部分には同符号を付し、その詳細な説明は省略する。カーボン線３８は上皿６２に設けられた上皿払出口６５に設けられている。また、カーボン線３８は複数本に分岐され、上皿払出口６５を形成する上開口縁部から下方へ突出して等間隔に上方から垂下されている。このため、上皿払出口６５を通り、払い出されてくるパチンコ玉はマイナスイオンを発生するカーボン線３８に接触することにより、或いは非接触状態でも、パチンコ玉から静電気を除電することができる。なお、分岐された複数本のカーボン線３８の間隔をパチンコ玉の直径より小さくし、またカーボン線３８の下端と上皿払出口６５の下端との間隔をパチンコ玉の直径より小さくすることにより、更に左右両端のカーボン線３８と上皿払出口６５の左右側縁との間隔をパチンコ玉の直径より小さくすることにより、払い出されるほぼ総てのパチンコ玉から静電気を除電することができる。
【００７５】
以下、遊技盤４１の他の実施形態を図２４に基づき説明するが、図１０及び図１１に示した遊技盤４１と同様の構成部分には同符号を付し、その詳細な説明は省略する。カーボン線３８は下皿６３のほぼ中央に設けられた下皿払出口６６に設けられている。また、カーボン線３８は複数本に分岐され、下皿払出口６６を形成する上開口縁部から下方へ突出して等間隔に上方から垂下されている。このため、下皿払出口６６を通り払い出されてくるパチンコ玉はマイナスイオンを発生するカーボン線３８に接触することにより、或いは非接触状態でも、パチンコ玉から静電気を除電することができる。なお、図２３に示したように、分岐された複数本のカーボン線は下皿払出口６６の中央部に設けられ、左右にはカーボン線が設けられていないが、分岐された複数本のカーボン線３８の間隔をパチンコ玉の直径より小さくし、またカーボン線３８の下端と下皿払出口６６の下端との間隔をパチンコ玉の直径より小さくし、更に左右両端のカーボン線３８と下皿払出口６６の左右側縁との間隔をパチンコ玉の直径より小さくすることにより、払い出されるほぼ総てのパチンコ玉から静電気を除電することができる。
【００７６】
次に、ケース１１３にマイナスイオン発生器１を収めイオン発生ユニット１Ａを備えたパチンコ機４０の背面構造を図２５に基づき説明する。背面６８の上部には合成樹脂製の供給皿７０が取り付けられ、この供給皿７０には図示しないパチンコ玉の供給装置から通路を介してパチンコ玉が供給される。７１は供給皿７０から供給されるパチンコ玉を前記上皿払出口６５に案内すると共に上皿６２のパチンコ玉を遊技盤４１の図示しないレバーの操作により下皿６３に案内する合成樹脂製の裏側の通路であり、この通路７１は供給皿７０から落下したパチンコ玉を斜め下方に案内する上部レール７２、この上部レール７２の下端に連通し背面の側部をほぼ垂直に下方へ延びた側部レール７３及び側部レール７３の下端に連通し途中にて折曲した下部レール７４とから構成されている。そして、下部レール７４は遊技盤４１下部の前記上皿払出口６５に連通されている。
【００７７】
また、７５、７６、７７及び７８は前記背面６８に取り付けられたプリント基板の基板収納ケースであり、これらのプリント基板に設けられた制御装置（図示せず）によりパチンコ玉の発射動作、状態表示部６０の表示、図柄表示装置５１での表示、入賞装置５８及び賞品球の払い出しなどが制御される。
【００７８】
そして、図２６に示すように、７９はパチンコ機４０の外周に設けられた矩形状の枠材で、図示しないイオン発生ユニットから延び途中にて分岐した複数本のカーボン線３８が前記枠材７９を構成する上部枠材７９Ａの下面から突出して下方に延びている。従って、カーボン線３８は供給皿７０の上方に位置し、カーボン線３８で発生したマイナスイオンは該カーボン線３８からパチンコ機４０の背面６８の空間に供給され、カーボン線３８の近傍に配置されている供給皿７０の静電気を供給されたマイナスイオンにより除電することが可能になる。この結果、前記基板収納ケース７５、７６、７７及び７８に設けられたプリント基板に搭載された前記制御装置を構成する電装部品であるマイクロコンピュータなどの誤動作を回避でき、パチンコ玉の発射動作、状態表示部６０の表示動作、図柄表示装置５１での表示動作、入賞装置５８の動作、入賞玉放出の動作などが正常に動作するように制御される。
【００７９】
次に、パチンコ機４０の背面にイオン発生ユニット１Ａを取り付ける他の実施形態を図２７に基づき説明するが、図２５に示したパチンコ機４０の背面構造と同様の構成部分には同符号を付し、その詳細な説明は省略する。背面６８の上部にはイオン発生ユニット１Ａが例えばビス１Ｂにより取り付けられ、このイオン発生器ユニット１Ａから外方向に延びたカーボン線３８は供給皿７０の裏側壁７０Ａの外面（裏面）周縁部のほぼ全体に亘って例えば粘着テープなどにより直接接触するように取り付けられている。そして、前記抵抗体を介してカーボン線３８に電圧が印加され、カーボン線３８から発生したマイナスイオンにより、カーボン線３８が接触している供給皿７０の静電気をマイナスイオンにより除電することができ、且つカーボン線３８は供給皿７０の裏側壁７０Ａの外面周縁部ほぼ全体に亘り取り付けられているため、供給皿７０のほぼ全体から同様に除電することができる。更に、マイナスイオンは、カーボン線３８から背面６８の空間に供給され、供給皿７０に入っているパチンコ玉から静電気を除電することもできる。
【００８０】
なお、カーボン線３８の取付方法は上記粘着テープによる方法に限定されるものでもなく、またカーボン線３８を供給皿７０の裏側壁７０Ａの外面周縁部に取り付けたが、供給皿７０の表側壁に取り付けてもよい。
【００８１】
次に、パチンコ機４０の背面にイオン発生ユニット１Ａを取り付ける他の実施形態を図２８に基づき説明するが、図２５に示したパチンコ機４０の背面構造と同様の構成部分には同符号を付し、その詳細な説明は省略する。背面６８の上部に取り付けられたイオン発生ユニット１Ａから延びたカーボン線３８は、上部レール７２、側部レール７３及び下部レール７４の上部の外面（裏面）ほぼ全体に亘って上記供給皿７０と同様に例えば粘着テープにより直接接触して取り付けられる。そして、前記抵抗体を介して電圧はカーボン線３８に印加し、カーボン線３８から発生したマイナスイオンにより、カーボン線３８が接触している上部レール７２、側部レール７３及び下部レール７４の静電気を除電することができ、且つカーボン線３８は上部レール７２、側部レール７３及び下部レール７４の側壁７８の外面ほぼ全体に亘り取り付けられているため、上部レール７２、側部レール７３及び下部レール７４のほぼ全体から同様に除電することができる。更に、マイナスイオンは、カーボン線３８から背面６８の空間に供給され、周囲を除電することもできる。
【００８２】
また、供給皿７０及び上部レール７２、側部レール７３及び下部レール７４を合成樹脂材料にて形成し、供給皿７０のカーボン線３８を接続すると共に、上部レール７２、側部レール７３及び下部レール７４のうちの何れかのレールにカーボン線３８を接続することにより、供給皿７０及び上部レール７２、側部レール７３及び下部レール７４から静電気を除電することができ、また供給皿７０に入っているパチンコ玉及び上部レール７２、側部レール７３及び下部レール７４を通過するパチンコ玉から静電気を除電することができる。なお、上記供給皿７０及び各レール以外のパチンコ玉が通過する導電性を有した箇所にカーボン線３８を接続することにより、通過するパチンコ玉から静電気を除電することができる。
【００８３】
以下、上部レール７２、側部レール７３及び下部レール７４へのカーボン線３８の他の取り付け方法について、例えば上部レール７２の縦断右側面図である図２９に基づき説明する。上部レール７２は底壁８３、後壁８１、前壁８２及び仕切り壁８４から構成され、仕切壁８４の奥側及び手前側にパチンコ玉Ｐの２つの通路８５が形成されているが、これに限らず３つ以上の通路８５を形成してもよい。そして、カーボン線３８は、手前の通路８５の後部の角、即ち底壁８３と仕切壁８４の交差する手前角部に設けられているが、底壁８３と前壁８２の交差する角部に設けても良く、更には奥側の通路８５の手前角部か奥側の通路８５の奥側角部にも設けても良い。このため、カーボン線３８が通路８４を通過するパチンコ玉Ｐの妨げになることを回避でき、上部レール７２及び通過するパチンコ玉Ｐから効率よく静電気を除電することができる。なお、側部レール７３及び下部レール７４についても同様にカーボン線を通路の角に設けることにより、同様な作用効果を得ることができる。
【００８４】
次に、パチンコ機４０の背面にイオン発生ユニット１Ａを取り付ける他の実施形態を図３０に基づき説明するが、図２５に示したパチンコ機４０の背面構造と同様の構成部分には同符号を付し、その詳細な説明は省略する。背面６８の中央部にはプリント基板が収められて合成樹脂にて形成された基板収納ケース７５が取り付けられ、基板収納ケース７５の近傍に取り付けられた中央部のイオン発生ユニット１Ａから延びたカーボン線３８は中央部の基板収納ケース７５の周囲に取り付けられている。また、背面６８の下部の左側には上下に接近してプリント基板が収納されて合成樹脂材料にて形成された基板収納ケース７６及び７７が取り付けられている。更に、背面下部の右側にはプリント基板が収納されて合成樹脂にて形成された基板収納ケース７８が取り付けられている。そして、各基板収納ケース７６、７７、７８に囲まれた位置に下部のイオン発生ユニット１Ａが取り付けられ、このイオン発生ユニット１Ａからはカーボン線３８が分岐して延びており、一方のカーボン線３８Ｃは基板収納ケース７６及び７７の周囲に取り付けられ、その先端部は基板収納ケース７６と７７との間まで延びている。また、他方のカーボン線３８Ｄは基板収納ケース７８の周囲に取り付けられている。
【００８５】
上述したように、カーボン線３８及びカーボン線３８Ｃ、３８Ｄがそれぞれ各基板収納ケース７５、７６、７７、７８の周囲に取り付けられている。このため、中央部のイオン発生ユニット１Ａの前記抵抗体を介して電圧がカーボン線３８に印加し、発生したマイナスイオンにより基板収納ケース７５から静電気を除電することができる。また、中央部のイオン発生ユニット１Ａの前記抵抗体を介して電圧がカーボン線３８Ｃ、３８Ｄに印加し、発生したマイナスイオンにより基板収納ケース７６、７７と基板収納ケース７８との双方から静電気を除電することができる。また、この除電により、静電気による各プリント基板への影響、即ち各プリント基板に搭載された電装部品であるマイクロコンピュータ（図示せず）などの誤動作を回避でき、パチンコ玉の発射動作、状態表示部６０の表示動作、図柄表示装置５１での表示動作、入賞装置５８の動作、入賞玉放出の動作などが正常に動作するように制御される。
【００８６】
また、下部のイオン発生ユニット１Ａは、各基板収納ケース７６、７７、７８に囲まれた位置に取り付けられているため、イオン発生ユニット１Ａから延びたカーボン線３８Ｃ及びカーボン線３８Ｄ双方の寸法を短くすることができる。また、カーボン線３８Ｃの先端部は、隣り合っている基板収納ケース７６と７７との間に取り付けられているため、カーボン線３８Ｃにより基板収納ケース７６内のプリント基板を下方から及び基板収納ケース７７内のプリント基板を上方から除電でき、即ちカーボン線３８Ｃの先端部により基板収納ケース７６と７７との双方を除電でき、この結果、カーボン線３８Ｃ全体の寸法を極力短くすることができる。
【００８７】
以下、カーボン線３８の基板収納ケースへの取り付け構造の他の実施形態について、図３１に基づき、基板収納ケース７５を例として以下説明する。基板収納ケース７５の側壁７５Ａにはカーボン線挿入用の穴８６が形成されている。カーボン線３８の先端がこの穴８６から基板収納ケース８５内に挿入されて、所定の寸法分が基板収納ケース８５内に配設される。このため、前記抵抗体を介して電圧がカーボン線３８に印加し、発生したマイナスイオンがカーボン線３８から基板収納ケース７５内の空間に供給され、基板収納ケース７５内のプリント基板をマイナスイオンにより除電することができる。また、前記穴８６からカーボン線３８を基板収納ケース７５内に引き込むのみで、カーボン線３８の取り付け構造を簡略化し、容易にカーボン線３８を基板収納ケース７５内に設けることができる。
【００８８】
以下、カーボン線３８の基板収納ケースへの取り付け構造の他の実施形態について、図３２に基づき、基板収納ケース７５を例として以下説明する。基板収納ケース７５の側壁７５Ａにはカーボン線挿入用の穴８６が形成されている。カーボン線３８は、穴８６から基板収納ケース８５内に延び、側壁７５Ａから側壁７５Ｂ、側壁７５Ｃ及び側壁７５Ｄの内面を引き回され、例えば図示しない粘着テープにより、カーボン線３８の各部及び端部は各側壁７５Ａ乃至７５Ｄの内面に取り付けられる。そして、カーボン線３８の端部の先端３８Ｅは側壁７５Ａの穴８６の近傍に位置している。即ち、カーボン線３８は側壁７５Ａ乃至７５Ｄのほぼ全周に亘り図３２における各側壁の下縁と平行に取り付けられている。このため、前記抵抗体を介して電圧がカーボン線３８に印加し、マイナスイオンが側壁ほぼ全周のカーボン線３８の先端から基板収納ケース７５内の空間にほぼ均一に供給され、基板収納ケース７５内のプリント基板をマイナスイオンによりほぼ均一に除電することができる。
【００８９】
また、カーボン線３８は上述したように粘着テープを使用し、各側壁７５Ａ乃至７５Ｄの内面に容易に取り付けることができるが、各側壁７５Ａ乃至７５Ｄの内面に予めカーボン線３８を配線するための溝をほぼ全周にわたり形成し、この溝内にカーボン線３８を嵌め取り付けるようにすることにより、カーボン線の取り付け作業を一層簡略化でき、またカーボン線の取り付けを確実に行うこともできる。
【００９０】
以下、カーボン線３８の基板収納ケースへの取り付け構造の他の実施形態について、図３３及び図３４に基づき、基板収納ケース７５を例として以下説明する。基板収納ケース７５の側壁７５Ｄの下部から水平方向に延びた延出壁７５Ｅが形成されている。即ち、上面開口せる下箱９０と、この下箱９０上に配設される各側壁７５Ａ乃至７５Ｄ、延出壁７５Ｅ及び上壁７５Ｆから構成される下面開口せる上箱とで、基板収納ケース７５が構成される。この延出壁７５Ｅには、後述するコネクタに対応した開口９１、９２、９３が間隔を存して形成されている。また、マイナスイオン発生器１のカーボン線３８がコネクタ９４を介して下箱９０内に配設されるプリント基板Ｋに接続される。プリント基板Ｋに搭載されたコネクタ９４はプリント基板Ｋに形成された配線パターン部９５に接続されている。９６は例えばカーボン製であり板状のイオン発生物であるカーボン板であり、このカーボン板９６は前記配線パターン部９５の端部に接続されている。そして、下箱９０に上箱を被せて、基板収納ケース７５を形成したときには、図３３に示したように、コネクタ９４が開口９１から上方へ突出する。
【００９１】
上述したように構成された基板収納ケース７５において、前記抵抗体を介して電圧がカーボン線３８、コネクタ９４及び配線パターン部９５を介してカーボン板９６に印加する。このカーボン板９６は上記カーボン線３８と同様に電圧が印加され、該カーボン板９６の表面から発生したマイナスイオンが基板収納ケース７５内の空間に供給され、空間内を除電することができ、またカーボン板９６が取り付けられ、図示しない複数の電装部品が搭載されたプリント基板Ｋもマイナスイオンにより直接除電することができる。
【００９２】
以下、この発明の他の実施形態であるイオン発生ユニット１Ａを除電のために取り付けた遊技機であるスロット機について、図３５に基づき説明する。スロット機１４１は、前面に開口１４２を有する箱状のケース１４３と、開口１４２を開閉自在に閉塞する扉１４４とから構成され、ケース１４３内の背壁上部に配設されたプリント基板の基板収納ケース１４５、中央部に配設された表示部１４６、下部に配設され賞品として多数のメダルを収納するホッパー１４７、このホッパー１４７からメダルを放出するメダル放出装置１４８、このメダル放出装置１４８の横の空間に配設された電源ボックス１５０などを備えている。
【００９３】
前記ケース１４３は、例えば金属板により枠状に形成された上壁１５１、下壁１５２、左壁１５３及び右壁１５４と、背壁１５５とから構成され、左壁１５３及び右壁１５４の中央部には運搬用の開口１５６が形成され、背壁１５５にはケース１４３内と外部とを連通させる通気穴１５７が形成されている。また、扉１４４の中央部の前面の下部には放出されたメダルを受ける下皿１５８、後述するメダル投入口、スタートレバー、ストップスイッチなどが設けられ、扉１４４を閉じた際にはメダル放出装置１４８と前記下皿１５８とは図示しないメダル通路により接続される。更に、扉１４４の中央部には、前方から前記表示部１４６が見えるような透明な材料で形成された表示窓１６０が設けられている。
【００９４】
前記表示部１４６は、それぞれが周面に複数の図柄を表示し、間隔を存して並設された複数のドラム１６１、１６２、１６３を備え、左壁１５３と右壁１５４との間に渡された上下のフレーム１６４、１６５と、この上下のフレーム１６４、１６５の間に縦方向に渡されて各ドラム１６１、１６２、１６３の間及び右方に取り付けられた縦フレーム１６６、１６７、１６８と、この縦フレーム１６６、１６７、１６８に支持された支軸（図示せず）とが設けられ、各ドラムは前記支軸に回動自在に支持されている。そして、各ドラム１６１、１６２、１６３は、それぞれ図示しない駆動源である複数のモータにより独立して回転する。
【００９５】
前記上壁１５１の下面１７０には、マイナスイオン発生器１を備えたマイナスイオン発生ユニット１Ａが取り付けられ、このマイナスイオン発生ユニット１Ａから延びたカーボン線３８が下面１７０に取り付けられている。
【００９６】
このように構成されたスロット機１４１において、遊技者がメダルをメダル投入口に投入し、スタートレバーを操作すると、基板収納ケース１４５内に収納されたプリント基板に搭載されたマイクロコンピュータなどにより構成された遊技制御装置が動作し、前記各モータが運転し各ドラム１６１、１６２、１６３が独立して回転する。即ち、遊技者が表示窓１６０を介してドラム１６１、１６２、１６３の図柄を確認しつつ、各ストップスイッチを順に押すとその度に遊技制御装置が動作し、モータの回転は順に停止し、ドラム１６１、１６２、１６３の回転もストップスイッチの操作に追従して停止する。そして、各ドラム１６１、１６２、１６３の同様の図柄が並んだ場合には、メダル放出装置１４８が動作し、賞品としてメダルが下皿１５８に放出される。
【００９７】
また、前記抵抗体を介して電圧がカーボン線３８に印加し、カーボン線３８から発生したマイナスイオンがケース１４３内の空間に供給され、効率よく空間内に配設された各装置、特に上部に設けられた装置を除電することができる。この結果、基板収納ケース１４５内のプリント基板から除電することができ、遊技制御装置の誤動作を防止することができる。なお、カーボン線３８を基板収納ケース１４５の表面に取り付けることによりプリント基板に生じた静電気を一層効率良く除電することができる。
【００９８】
以下、イオン発生ユニット１Ａを備えた遊技機１４１の他の実施形態を図３６に基づき説明するが、図３５に示した遊技機１４１と同様の構成部分においては同様の符号を付し、その詳細な説明は省略する。マイナスイオン発生ユニット１Ａを左壁１５３の内側面に取り付け、マイナスイオン発生ユニット１Ａから延びたカーボン線３８が扉１４４の裏面１７２に渡され、扉１４４の裏面上部、表示窓１６０の裏側部及び扉１４４の裏面下部に引き回されている。即ち、扉１４４の裏面１７２の上部から下方に向かって延びて、下部に沿ってから上方に向かって延びて上部まで延びている。このため、扉１４４の裏面１７２の全周縁部に沿って配設することにより、カーボン線３８の全長を大幅に増加させることができ、扉１４４の裏面の周囲の部分ほぼ全体に取り付けられカーボン線３８から発生されたマイナスイオンを一層効率よく、且つ均一にケース１４３内の空間内に供給することができ、この空間内に配設されたプリント基板その他各装置から静電気を除電することができる。
【００９９】
以下、イオン発生ユニット１Ａを備えた遊技機１４１の他の実施形態を図３７に基づき説明するが、図３５に示した遊技機１４１と同様の構成部分においては同様の符号を付し、その詳細な説明は省略する。マイナスイオン発生ユニット１Ａを扉１４４のヒンジ側の側面１７３に取り付ける。扉１４４にはメッキ処理されており、マイナスイオン発生ユニット１Ａから延びたカーボン線３８が扉１４４のメッキ部、例えば扉１４４のヒンジ側の側面１７３のメッキ処理された図５１にハッチングを施した部分であるメッキ部１７４に接するように取り付けられている。このため、メッキ部１７４を除電することができる。またメッキ部１７４が扉１４４の前面に回り込んでいる場合には前面をも除電することが可能になる。また、カーボン線３８からのマイナスイオンによりケース１４３内の空間内に配設されたプリント基板その他各装置を除電することができる。
【０１００】
以下、マイナスイオン発生ユニット１Ａを備えた遊技機１４１の他の実施形態を図３８に基づき説明するが、図３５に示した遊技機１４１と同様の構成部分においては同様の符号を付し、その詳細な説明は省略する。ケース１４３内の基板収納ケース１４５と電源ボックス１５０内に設けられた図示しないプリント基板とは複数本のコード１７５により接続されている。マイナスイオン発生ユニット１Ａは、左壁１５３の内側面に取り付けられ、マイナスイオン発生ユニット１Ａから延びたカーボン線３８がコード１７５と共に束ねられ、上方へ延びている。このため、マイナスイオン発生ユニット１Ａのカーボン線３８から発生されたマイナスイオンを一層効率良く、且つ均一にコード１７５に供給することができ、各コード１７５から静電気を除電することができる。また、コード１７５により送られる信号に静電気が影響を与えることも回避でき、表示部１４６の表示動作、メダル放出装置１４８の放出動作などの誤作動を防止することもできる。
【０１０１】
以下、イオン発生ユニット１Ａを備えたスロット機１４１の他の実施形態を図３９に基づき説明する。扉１４４の前面右側の側部にはメダル投入口１７６が形成され、前面から直角に折曲し前方に水平に延びた段部１７７の側部にはメダル投入口１７６に対応して設けられ金属にて形成されたメダル案内部材１７８が取り付けられている。イオン発生ユニットから延びたカーボン線３８がメダル案内部材１７８の下面に接続され、イオン発生ユニット１Ａのカーボン線３８から発生されたマイナスイオンによりメダル案内部材１７８及びその周辺から静電気を除電することができ、また投入されるメダルも除電することができる。
【０１０２】
以下、イオン発生ユニット１Ａを備えたスロット機１４１の他の実施形態を図４０に基づき説明する。扉１４４の前面には、スタートレバー１８０及びストップスイッチ１８１が間隔を存して設けられている。スタートレバー１８０は導電性を有した合成樹脂材料や、金属などにて形成されている。スタートレバー１８０は前部の握り部１８２と扉１４４への取付部である基部１８３とから構成され、扉１４４の裏面に取り付けられた図示しないイオン発生ユニットから延びたカーボン線３８がこの基部１８３に接続されている。このため、カーボン線３８によりスタートレバー１８及びその周辺から静電気を除電することができ、この結果、帯電している遊技者が遊技を始めるために、スタートレバー１８０に触れるときに、遊技者からも除電することができる。
【０１０３】
また、ストップスイッチ１８１を導電性を有した合成樹脂材料や、金属などにて形成し、ストップスイッチ１８１にカーボン線３８を接続してもよく、この場合には、遊技者が遊技中にストップスイッチ１８１に触れるときに、遊技者から静電気を除電することができる。
【０１０４】
以上のように、本発明はパチンコ玉が通過する通路や、プリント基板や、遊技者が接触するもの、更にはパチンコ玉やメダル、遊技者から静電気を除電することができるものである。
【０１０５】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【０１０６】
【図１】マイナスイオン発生器のブロック回路図である。
【図２】マイナスイオン発生器の回路図である。
【図３】マイナスイオン発生器が搭載されたプリント基板の平面図である。
【図４】マイナスイオン発生器が搭載されたプリント基板の斜視図である。
【図５】抵抗体の他の取り付け構造を示すプリント基板の平面図である。
【図６】抵抗体の他の取り付け構造を示すプリント基板の斜視図である。
【図７】抵抗体の他の取り付け構造を示す斜視図である。
【図８】抵抗体の他の構造を示す縦断面図である。
【図９】イオン発生ユニットの斜視図である
【図１０】遊技機であるパチンコ機の斜視図である。
【図１１】遊技盤の斜視図である。
【図１２】遊技盤の要部斜視図である。
【図１３】遊技盤の斜視図である。
【図１４】遊技盤の斜視図である。
【図１５】遊技盤の要部縦断面図である。
【図１６】遊技盤の要部縦断面図である。
【図１７】遊技盤の要部斜視図である。
【図１８】遊技盤の要部斜視図である。
【図１９】遊技盤の斜視図である。
【図２０】パチンコ機の扉を開いた状態の斜視図である。
【図２１】パチンコ機の扉を開いた状態の斜視図である。
【図２２】パチンコ機の扉を開いた状態の斜視図である。
【図２３】パチンコ機の正面下部の要部斜視図である。
【図２４】パチンコ機の正面下部の要部斜視図である。
【図２５】パチンコ機の背面図である。
【図２６】パチンコ機の要部背面図である。
【図２７】パチンコ機の要部背面図である。
【図２８】パチンコ機の背面図である。
【図２９】上部レールの縦断右側面図である。
【図３０】パチンコ機の背面図である。
【図３１】カーボン線が接続された基板収納ケースの斜視図である。
【図３２】カーボン線が内部に配設された基板収納ケースの斜視図である。
【図３３】基板収納ケースの斜視図である。
【図３４】カーボン線がパターン配線部を介して接続されたプリント基板等の斜視図である。
【図３５】遊技機であるスロット機の扉を開いた状態の斜視図である。
【図３６】遊技機であるスロット機の扉を開いた状態の斜視図である。
【図３７】遊技機であるスロット機の扉を開いた状態の斜視図である。
【図３８】遊技機であるスロット機の扉を外した状態の斜視図である。
【図３９】スロット機の要部正面図である。
【図４０】スロット機の要部正面図である。
【符号の説明】
【０１０７】
１                マイナスイオン発生器
１Ａ              イオン発生ユニット
２                電源電圧供給回路
３                発振回路
４                昇圧回路
５                電圧変換回路
６                抵抗体
８                イオン発生部
３５              鉱石
３６、３７        電極部
３８              カーボン線
４０              遊技機
４１              遊技盤
４２              扉
４５              遊技面
４６              外側レール
４７              内側レール
４８              発射通路
５０              障害釘
５１              図柄表示装置
５４              風車
６２              上皿
６３              下皿
６５              上皿払出口
６６              下皿払出口
６８              背面
７０              供給皿
７１              通路
７５              基板収納ケース
９６              カーボン板
１００            プリント基板
１０１            開口
１１３            ケース
１４１            スロット機
１４２            開口
１４３            ケース
１４４            扉
１４６            表示部
１４７            ホッパー
１５０            電源ボックス
１５８            下皿
１６０            表示窓
１６１乃至１６３  ドラム
１７４            メッキ部
１７６            メダル投入口
１７８            メダル案内部材
１８０            スタートレバー
１８１            ストップスイッチ
【図１】
2006141995.tif 000003
【図２】
2006141995.tif 000004
【図３】
2006141995.tif 000005
【図４】
2006141995.tif 000006
【図５】
2006141995.tif 000007
【図６】
2006141995.tif 000008
【図７】
2006141995.tif 000009
【図８】
2006141995.tif 000010
【図９】
2006141995.tif 000011
【図１０】
2006141995.tif 000012
【図１１】
2006141995.tif 000013
【図１２】
2006141995.tif 000014
【図１３】
2006141995.tif 000015
【図１４】
2006141995.tif 000016
【図１５】
2006141995.tif 000017
【図１６】
2006141995.tif 000018
【図１７】
2006141995.tif 000019
【図１８】
2006141995.tif 000020
【図１９】
2006141995.tif 000021
【図２０】
2006141995.tif 000022
【図２１】
2006141995.tif 000023
【図２２】
2006141995.tif 000024
【図２３】
2006141995.tif 000025
【図２４】
2006141995.tif 000026
【図２５】
2006141995.tif 000027
【図２６】
2006141995.tif 000028
【図２７】
2006141995.tif 000029
【図２８】
2006141995.tif 000030
【図２９】
2006141995.tif 000031
【図３０】
2006141995.tif 000032
【図３１】
2006141995.tif 000033
【図３２】
2006141995.tif 000034
【図３３】
2006141995.tif 000035
【図３４】
2006141995.tif 000036
【図３５】
2006141995.tif 000037
【図３６】
2006141995.tif 000038
【図３７】
2006141995.tif 000039
【図３８】
2006141995.tif 000040
【図３９】
2006141995.tif 000041
【図４０】
2006141995.tif 000042